Podtech/llm-jp-corpus-v4-ja_patent huggingface dataset:
(57)【要約】      （修正有）【課題】苗を植えつける際に肥料を早く持続的に吸収させるための容器を提供する。【解決手段】腐葉土と赤玉土に緩行性肥料を加えて混ぜ合わせた用土と、布海苔を水に浸した後煮汁を作り冷ました汁を前記の用土へ加えて、粘土状になるよう混ぜ合わせて乾燥させた容器。【選択図】図１
2008289465.tif 000002
【特許請求の範囲】
【請求項１】
腐葉土と赤玉土に緩行性肥料を加えて混ぜ合わせた用土と、布海苔を水に浸した後煮汁を作り冷ました汁を前記の用土へ加えて、粘土状になるよう混ぜ合わせて乾燥させた容器。
【請求項２】
布海苔の煮汁を用土へ加える際に、天草を水に浸した後煮汁を冷ました汁を同時に加えた請求項１記載の容器。
【請求項３】
容器の形状は、ビニールポットをした厚みのある形状と、それを２分割した形状と、小さな穴をあけた形状と、下部にスリットを入れた形状をした容器。
【請求項４】
浅い容器に四角又は、円形の仕切りの形状をして必要な時に仕切りを分離できるように切れ込み又は、点線のような穴を加工した容器。
【請求項５】
容器の中へ緩行性肥料を入れて団子の形状にした肥料団子ものと、厚みのある板状にした形状をしたもの。
【発明の詳細な説明】
【技術分野】
【０００１】  本発明は、苗を植え付ける際に肥料を早く持続的に吸収させるための容器に関する。
【発明の開示】
【発明が解決しようとする課題】
【０００２】  耕した土壌へ化成肥料を蒔いた直後に苗を植えつけた場合、化成肥料によって苗の根が肥料やけとなり根の機能が衰え成長を悪くする場合により枯れてしまう。【０００３】  石油製品又は、紙で作られた種蒔の容器は、植え替えする際にその容器を取り外す作業がありますまた、リサイクルしない場合は、ゴミとして廃棄処分します。【０００４】  土壌を耕し肥料を土壌全体にバラ蒔きすることによって苗の根が伸びていない土壌の肥料が雑草の根から吸収されされる。【０００５】  花木への追肥は、根の周り数カ所に穴を掘って粒状又は、顆粒の肥料をそのまま土に埋めるため雨水により肥料が下に流され持続性がない。
【課題を解決するための手段】
【０００６】  本発明は、上記目的を達成するために腐葉土と赤玉土と緩行性肥料を混ぜた用土に布海苔の煮汁を加え乾燥させた本発明の容器を使用することにより肥料が根の外側全体で吸収しやすくした形状の容器です。【０００７】  プランターや花壇へ本発明の容器に苗を入れて植え付けした場合には、雑草が吸収する肥料が少ないため、雑草の成長を遅らせることができまた、抑えられます。【０００８】  また、材質が石油製品及び紙を使用しない容器のため土に埋め込んだ際には、容器自体が土となるため掘り出してゴミとして廃棄する必要がありません。【０００９】  花木の根の周りに穴を掘って追肥する際、本発明の容器の材料で中に緩行性肥料が入った肥料団子を掘った穴に入れて肥料が雨水で下に流れるのを遅延させる。
【発明の効果】
【００１０】  本発明の容器は、苗を入れて土壌へ植え付ける場合事前に化成肥料をバラ蒔かないで容器に入れて植え付けするため土壌に肥料をバラ蒔きする必要が無く、雑草の成長を鈍くすることができます。【００１１】  本発明の種蒔き用の容器で発芽させて苗を育てて移植する場合四角又は円形に仕切った部分を分離してその容器を付けて植え付けることができます。【００１２】  本発明の肥料団子を花木の根の周囲に穴を掘って埋めることによりカプセル状であるため通常の肥料を埋めた時と比較して持続性がある。
【発明を実施するための最良の形態】
【００１３】  以下、本発明の実施の形態を図１〜図５に基づいて説明する。【００１４】  図においては、１は容器の底に２の穴をあける形状。３は、１の容器を左右に２分割した形状の容器で、４は１の容器に穴をあけた形状の容器で、５は１の容器の下部にスリットを入れた形状の容器です。【００１５】  ６は１を作る時と同じ材料で四角形の仕切りを作り７の仕切り線から容易分離できるように厚さを薄くします。８は分離した１個の容器です。【００１６】  ９は１を作る時と同じ材料で円形の仕切りを作り１０の仕切り線から容易分離できるように厚さを薄くします。１１は分離した１個の容器です。【００１７】  １２は１を作る時と同じ材料で団子の外側を作り、中に１３の緩行性肥料を入れます。
【図面の簡単な説明】
【００１８】
【図１】本発明となる苗を入れて育てる容器の外観図
【図２】苗の根を左右から挟み込むように２分割した容器の外観図
【図３】容器全体に穴をあけた容器の外観図
【図４】容器の下部にスリットを入れた外観図
【図５】種蒔き用の容器で四角に仕切った容器の外観図
【図６】種蒔き用の容器で四角に仕切った容器を切り離した外観図
【図７】種蒔き用の容器で円形に仕切った容器の外観図
【図８】種蒔き用の容器で円形に仕切った容器を切り離した外観図
【図９】花木の追肥用に容器と同じ材料で団子の中に肥料を入れた断面図
【図１】
2008289465.tif 000003
【図２】
2008289465.tif 000004
【図３】
2008289465.tif 000005
【図４】
2008289465.tif 000006
【図５】
2008289465.tif 000007
【図６】
2008289465.tif 000008
【図７】
2008289465.tif 000009
【図８】
2008289465.tif 000010
【図９】
2008289465.tif 000011
(57)【要約】【課題】長茎農作物の茎を容易に支持するための、支持具を提供する。【解決手段】  長茎農作物の茎を支持するための支持具であって、環状体の一部に解放部を設け支柱に沿って上下移動、係止が出来る取付部と先端が重なり合った円形のバンド体の一部にベロ形状のツマミ板を設け、それを摘み引くことにより自在に開閉できる支持部とが一体になっていることを特徴とするする支持具。【選択図】図１
2008289460.tif 000002
【特許請求の範囲】
【請求項１】
長茎農作物の茎を支持するための支持具であって、環状体の一部に解放部を設け支柱に沿って上下移動、係止が出来る取付部と先端が重なり合った円形のバンド体の一部にベロ形状のツマミ板を設け、それを摘み引くことにより自在に開閉できる支持部とが、一体になっていることを特徴とする支持具。
【発明の詳細な説明】
【技術分野】
【０００１】本発明は、植物の茎を支柱に容易に支持するための、支持具に関するものである。
【背景技術】
【０００２】従来は、支柱と植物の茎をビニール紐、麻縄等で固縛していた。
【発明の開示】
【発明が解決しようとする課題】
【０００３】そのためにつぎのような問題点があった。
（イ）一株で数カ所の固縛が必要であり、低い姿勢での作業となるので肉体苦痛を伴う。
（ロ）収穫後枯体と支柱を分離する際、紐等をハサミカッター等で切断しなければならない為、畑にゴミとして残る。
本発明は、以上の問題を解決するためになされたものである。
【課題を解決するための手段】
【０００４】一部に解放部を設けた環状体と、一部にベロ形状のツマミ板を設けた円形のバンド体とが一体となった支持具と支柱を組み合わせ風雨などから長茎の野菜や花卉類が倒伏や下垂することを防止する。以上を特徴とする支持具である。
【発明の効果】
【０００５】容易に支柱と茎を固縛、分離ができるため作業効率があがり肉体的苦痛から解放される。また支持具は植物の成長に合わせ適切な位置に移動、係止することができる。支持具は支柱キャップを取り外し取付けるので紛失の心配が無い。固縛用の紐やテープが必要がなくなるのでゴミが発生しない。
【発明を実施するための最良の形態】
【０００６】  以下、本発明の実施の形態について説明する。
（イ）支持具３は、一部が解放された環状体と先端部が重なった円形のバンド体を一体成形したポリプロピレン等の樹脂製のものである。
（ロ）バンド体の一部には、ベロ状のツマミ板７を設ける。
（ハ）一部が解放した環状体は、取付部４であり円形バンド体は、茎を支持する支持部５である。
（ニ）支柱２は、スチールパイプに樹脂皮膜したものであり頂点部にポリプロピレン等の樹脂製のキャップ１を設ける。
（ホ）キャップ１を取り外し、取付部４の環状体に支柱２を通し、支持具３を取り付ける。
本発明は、以上の構成よりなっている。本発明を使用するときは、幼苗の植え付けと同時に支柱２を植物の根元付近に差し入れる。支柱２に設置した複数個の支持具３は、支柱２の上部に係止しておき最下部の支持具３を幼苗の適切な茎位置まで降下させ係止させる。支持部４の口径は、支柱２の口径よりも小さく取る。樹脂の弾性、復元性を利用することで、適度の摩擦抵抗が支柱２との間に発生するので上下移動、係止が容易となる。支持具３の固定位置が決まった後、支持部５に付いているツマミ板７を摘みながら引き開き植物茎を挿入する。ツマミ板を放すと樹脂の弾性、復元性により元の形状に戻るので茎を支持することが出来る。幼苗の成長に応じて、上部に係止してある支持具３を下降させ、前記と同様に伸張した茎を支持する。なお収穫後は、支持具から枯体を引き離すだけで支持部５が開くので簡単に分離することが出来る。
【図面の簡単な説明】
【０００７】
【図１】本発明の斜視図
【図２】本発明の分解斜視図
【図３】本発明の部分斜視図
【図４】本発明の部分斜視図
【図５】本発明の使用状態を示す斜視図
【符号の説明】
【０００８】      １    支柱キャップ
２    支柱
３    支持具
４    支柱固定部
５    支持部
６    解放部
７    ツマミ板
８    植物
【図１】
2008289460.tif 000003
【図２】
2008289460.tif 000004
【図３】
2008289460.tif 000005
【図４】
2008289460.tif 000006
【図５】
2008289460.tif 000007
(57)【要約】【課題】自転車やスクーターを運転する時に、どうしても走行時の風切音が耳に入り、周囲の交通状況や、歩行者の気配がわかりずらかった。【解決手段】耳に、このカバーを付ける。カバーは耳型の様で、簡単に取り外しが出来る。【選択図】図３
2008289832.tif 000002
【特許請求の範囲】
【請求項１】
人間の耳に取り付け、風切音を防止することを特徴とする耳カバー。
【請求項２】
前記、耳カバーは横顔に向かって、やや垂直に耳の前側に付くので耳との間の耳の穴より筒状の様な感じになるので、集音効果が高まる特徴とする。
【発明の詳細な説明】
【技術分野】
【０００１】この発明は、人間の耳に用いる耳カバーに関する。
【背景技術】
【０００２】人間の耳の形状は、図１に示す様に、耳本体の１は、やや前を向いています。
【発明の開示】
【発明が解決しようとする課題】
【０００３】しかしながら、前から風を受けると、周囲の音が聴こえ難くなり、特に自転車やスクーターの運転走行時の耳に受ける風切音はとてもうるさい位に思える。そこで、この発明は、耳に簡単に取り付けられて、風切音を防ぐ事により、周囲の音が聴こえ易くなる為、運転走行中の危険を察知し易くなると共に、事故防止に役立つ耳カバーを提供する事を課題とする。
【課題を解決するための手段】
【０００４】以上の課題を解決する為に、第一発明は、人間の耳に取り付ける風切音防止を特徴とする耳カバーである。
また、第二発明は、耳の前よりに横顔とやや垂直に付け、耳全体を塞がない構造を特徴とする耳カバーである。
【発明の効果】
【０００５】第一発明、または第二発明によれば、人間の耳に、この耳カバーを付ける事で自転車やスクーターの運転走行時の風切音を防ぐ事が出来、その為、周囲の音を察知し易くなるので安全に運転が出来るので事故防止に役立つようになる。
【発明を実施するための最良の形態】
【０００６】この発明の一実施形態を、図２、図３に示す。
人間の耳に、取り付け簡単の耳カバーを付けた状態。図２に示すように走行時に当たる風は、矢印の様に３に対して上下、外側と逃げるので、直接、耳に当たらないので風切音を防げる。
図３に示す様に、風は同様に耳に直接当たらない。それと、カバーを付ける事により、耳が筒状の様な形になるので、集音効果が働く。
【図面の簡単な説明】
【０００７】
【図１】  人間の耳は、前からの風を受け易い事を示す図である。
【図２】  耳カバーを付けた状態で、風を受けた図である。
【図３】  耳カバーを付けた状態で、横から見た図である。
【図４】  耳カバーの図である。
【符号の説明】
【０００８】１  人間の耳      ２  顔面      ３  耳カバー      ４  風
【図１】
2008289832.tif 000003
【図２】
2008289832.tif 000004
【図３】
2008289832.tif 000005
【図４】
2008289832.tif 000006
(57)【要約】【課題】  ファスナーなどを取りつけずにクッション芯材の着脱ができて、しかも折り畳み椅子と共に畳めるように二つ折りに出来ること。そして、ふくらみのあるシート面を効果的に生かすこと。【解決手段】  裏表二面を持つシートの一面中央部で左右それぞれを相互に向き合わせてかつ内側に向けて曲面を形成して折り返して周囲をふさいだ状態にして、中央折り返し部から左右それぞれにクッション芯材を挿入するようにしている。【選択図】図１
2008289831.tif 000002
【特許請求の範囲】
【請求項１】
裏表二面を持つシートの一面中央部で左右それぞれの面を相互に向き合わせてかつ内側に向けて曲面を形成して折り返し周囲をふさいだ状態にして、中央折り返し部から左右それぞれにクッション芯材を挿入して成ることを特徴とした、クッション。
【発明の詳細な説明】
【技術分野】  この発明は、椅子や床に敷いて坐る、あるいは背もたれや頭部などに使用する、クッションに関するものである。
【背景技術】  従来のものは、内部にクッション芯材を封じたもの、あるいはファスナーなどを取りつけたものである。
【発明の開示】
【発明が解決しようとする課題】  従来のものは、内部のクッション芯材を着脱するためにはシートにファスナーなどを取りつける必要があった。また、座面を二つ折りにして畳む形式の椅子の場合、クッションと共には畳めない。この発明は、ファスナーなどを取りつけずにクッション芯材の着脱ができて、しかも、クッションを二つ折りに出来るふくらみのあるシート面を持ち、これらの曲面を効果的に生かしたクッションを提供することを目的としている。
【課題を解決するための手段】  この発明は、上記課題に対して次のような手段を取っている。即ち、裏表二面を持つシートの一面中央部で左右それぞれを相互に向き合わせてかつ内側に向けて曲面を形成して折り返して周囲をふさいだ状態にして、中央折り返し部から左右それぞれにクッション芯材を挿入するように構成している。
【発明の効果】  この発明によると、クッション芯材の着脱のためのファスナーの取りつけは不要となり、折り畳み椅子に設置したまま二つ折りにして畳むこともできる。そして、なによりもクッション芯材の着脱に使用されるクッション中央部の折り返しの面が曲面を形成することになるので、これらを生かした新たな意匠を持つクッションとして応用展開することができる。例えば、中央部にふくらみの曲面を形成したハート型のクッションや円型のクッションは意匠的にも効果的である。
【発明を実施するための最良の形態】  この発明の構成は簡単で、しかも効果は明快である。以下、実施例の図面にもとずいて説明する。
【実施例１】  図１は、ハート型のクッションとした実施例を示す断面図である。裏表二面を持つシートの一面中央部で左右それぞれの面を相互に向き合わせてかつ内側に向けて曲面を形成して折り返し、左右対称のハート型に周囲を縫合したものである。左右それぞれの折り返し辺１、１は、前後方向の端部をそれぞれ裏側シート及び表側シートと共に重ね合わせて縫合している。クッション芯材は中央部の折り返しの隙間から左右それぞれに挿入して、袋状になった折り返し辺１、１の内側に向けて納まるようにしている。左右の折り返しの面はそれぞれが丸みをもったふくらみの曲面を形成している。なお、折り返しの面の前後方向の端部は、それぞれの面の左右を中央部で合わせて結合している。
【実施例２】  図２は、四角型のクッションとした、実施例を示す断面図である。裏側シートと表側シートの二面は左右端がそれぞれ続いた状態で曲面を形成し、前後方向を縫合して周囲がふさがれた状態の四角型をしている。その他は第１実施例と同様である。以上、二つの実施例を示したが、外周のかたちは、クッション芯材を含めて丸型から角型まで自在であり、座や背もたれ、頭部用など使い方に応じてさまざまのかたちに応用できる。
【実施例３】  図３は、この発明の様々なかたちの実施例を示す平面図である。四角型を含めて種々あるが、ここに示すものは、丸みをもったふくらみの曲面が効果的に生かされる典型的なものである。
【図面の簡単な説明】
【図１】  本発明の実施例１を示す断面図である。
【図２】  本発明の実施例２を示す断面図である。
【図３】  様々なかたちの実施例を示す平面図である。
【符号の説明】
１    折り返し辺
【図１】
2008289831.tif 000003
【図２】
2008289831.tif 000004
【図３】
2008289831.tif 000005
(57)【要約】      （修正有）【課題】浴槽内の湯水の底に沈殿した汚水層を容易に回収する安価な汚水回収具の提供。【解決手段】汚水タンク２と該タンク２の一端に汚水を吸入する吸水口１と、該吸水口１と対向するもう一方の端に排水口５と、タンク２内の空気を外に逃がす空気孔４と、タンク２の下に該タンク２を支持し移動を容易にするガイド３とを設けて、吸水口１を移動させながらタンク２内の空気を空気孔４を調整して外に逃がすことにより、浴槽内に沈殿している汚水層を吸水口１からタンク２内に流入させて回収し、排水口５からタンク２内の汚水を排出する。【選択図】図１
2008289837.tif 000002
【特許請求の範囲】
【請求項１】
専ら浴槽内に沈殿している汚水を吸収して排出する道具であり、排水口（５）を閉め、空気孔（４）閉め、吸水口（１）とタンク（２）を浴槽内に沈め、底に沈んでいる汚水を目視しながら、狙いを定めて空気孔（４）の開閉調節をして水圧を利用して吸水口（１）からタンク（２）内に汚水を吸い込み、タンク内に汚水を回収したら、空気孔（４）を閉じ、排水口（５）を上にして全体を浴槽から引き揚げ、排水口（５）の蓋を開けタンク（５）内の汚水を浴槽外に排出する沈殿汚水回収装置並びにその用具の製法。
【請求項２】
タンクの外底にガイド（３）を設けた請求項１の沈殿汚水回収装置並びにその用具の製法。
【請求項３】
バランス錘（６）をタンクの外側に装着した装置を設けた請求項１．２の沈殿汚水回収装置並びにその用具の製法。
【請求項４】
スライド（７）を空気口４に装置した請求項１．２．３の沈殿汚水回収装置並びに用具の製法。
【発明の詳細な説明】
【技術分野】
【０００１】本発明は、浴槽の底に溜まり易い汚水を、容易に回収する装置と道具を提供し、水資源の無駄を極力抑制し、水資源の有効利用と省エネルギーに関する
【背景技術】
【０００２】従来、湯水をふんだんに使用しても支障無い環境のもとでは、槽内に沈殿した汚水の量が目視出来るほどあれば、湯水を入れ替えるが、渇水期や、節水、省エネの努力をする目標を掲げてその目的を達成したいとなれば、少しぐらいの汚水層が底にあっても我慢して使用する場合もあるし、電動の小型吸水機を浴槽内に沈めて作動させて排水する場合もあるし、槽底に在る栓を少し開けて汚水層の排水を試みたりしている。しかし決め手に成る簡便な汚水吸水具が無いために問題の解決が出来ない。
【発明の開示】
【発明が解決しようとする課題】
【０００３】
【０００４】上記問題を解決する為、浴槽内の底に溜まった湯水を容易に回収する安価な汚水回収具を提供し、浴槽内を少しでも美しく保ち、湯水の再利用を計り、資源の無駄使いを抑制し、簡便で安価に提供できる回収具を提供すれば、経済的成果もあり、省エネルギー効果にもすぐれ、地球温暖化を抑制して社会に裨益する。
【発明が課題を解決する手段】
【０００５】その手段は、主に図面に示すような道具をプラスチック成型により製作するが、装置に在るタンク内の水圧を巧みにコントロールしながら、浴槽内の汚水層に狙いを定め、タンク内の空気を汚水に入れ替える汚水回収具を作る。完全に汚水層が無くなり浄化される状態にすることは出来ないが、目視した汚水や、槽内の浮遊するゴミや汚物に吸水口を近づけて吸取る事が出来るから、課題の解決手段として有効である。
【０００６】排水口の蓋を閉じ、空気孔を閉じて吸水口とタンクを槽内底に向けて沈め、汚水層を目視しながら、吸水口を移動させ狙いを定め空気口を開けるとタンク内の空気が外に抜け、替わりに汚水がタンク内に流入する。タンク内が汚水で満たされ限界に達すると、流入した汚水を逆流させる場合があるから、少し早めに空気口を閉じて排水口の蓋を開けて汚水を排出させ、数回に分けて吸水、排水を繰り返すとよいし、入浴した状態で行う事が出来る。
【発明の効果】
【０００７】湯水の再利用が容易に行えれば、衛生的に良く、経済的効果も著しく、地球規模の課題でも在る節水に努めれば、水資源の有効利用と省エネルギーに貢献し、地球温暖化を抑制する。
【発明を実施するための最良の形態】
【０００８】以下、本発明実施の形態は図１〜図３を基に説明する【０００９】図においては、１は汚水を吸入する口である、（但し汚水がタンク２に満たされ空気口４を空けると、排水口にもなる）タンクに汚水が満たされるか満たされていなくても中の汚水を排出する時は、空気口４を閉じて全体を浴槽外に引き揚げ排水口５を開けて汚水を排出する。【００１０】タンク２の下から伸びている３は吸水口に汚水層を重ねる時タンクがぶれないように、支持され移動する安定ガイドの効果がある、ガイドにキャスターをつけると水中でぶれ易いタンクの移動が軽く出来る。【００１１】７は空気孔に装着し、空気調節を行う際に、空気孔の開閉にスライドを設けて用いると、そこから指が離れても空気調節がしやすいから良いし、タンクの上にバランス錘を装着するとタンクを沈めて移動するとき安定する。
【図面の簡単な説明】
【００１２】
【図１】本発明の実施形態を示す汚水回収具を斜め外から見下ろした外観図
【図２】ガイドにキャスターを付けた部分外観図
【図３】タンクにバランス錘ならびに空気孔にスライドを設けた外観図
【図１】
2008289837.tif 000003
【図２】
2008289837.tif 000004
【図３】
2008289837.tif 000005
(57)【要約】【課題】人体の状況に合わせて目の異なる粗さの研磨部を使い分けることのできる人体研磨具を提供する。【解決手段】任意形状の本体外面に、微細凹凸による異なる目の粗さを有する複数の研磨部を設けたことを特徴とする。【選択図】図２
2008289827.tif 000002
【特許請求の範囲】
【請求項１】
任意形状の本体外面に、微細凹凸による異なる目の粗さを有する複数の研磨部を設けたことを特徴とする人体研磨具。
【発明の詳細な説明】
【技術分野】
【０００１】  この発明は、入浴時などにかかとその他の人体部位を研磨するための用具に関する。
【背景技術】
【０００２】  従来より、入浴時にかかとを研磨するものとして軽石その他の用具があるが、研磨用としては単一の目の粗さを有するものであり、本発明にて示すように、複数の目の粗さを有するものは見あたらない。
【発明の開示】
【発明が解決しようとする課題】
【０００３】  人体は新陳代謝を行っているため、古くなった皮質を除去することが必要となり、通常は入浴時に体を洗うなどしてこれがなされる。足のかかとはこの皮質が層となって厚くなるため、一般的には軽石等を用いてかかとを摩擦研磨してこの古皮質を除去している。
しかしながら、前述のように摩擦する部分の目の粗さは単一であり、かかとの硬さその他の条件には個人差があり、また使用日や季節によってもかかとの状態が異なるため、他の粗さのものを用いたくてもそれがなされず、現在の用具では満足することができないという問題がある。
本発明は、以上のような従来からの人体研磨具に関わる課題を解決するために発明されたもので、異種の粗さを有する複数の研磨部分を有する新規かつ有用なる人体研磨具を提供することを目的としたものである。
【課題を解決するための手段】
【０００４】  課題を解決する手段として本発明は、以下の構成とした。
すなわち、任意形状の本体外面に、微細凹凸による異なる目の粗さを有する複数の研磨部を設ける。本発明は以上の構成よりなる人体研磨具である。
【発明の効果】
【０００５】  本発明によれば、複数種の目の粗さの異なる研磨部を一体に設けているので、使用者の状況に合わせて人体研磨を行うことのできる有用なる用具を得ることができる。
なお、付加的要素として、握り部に凹凸を設けることにて手の平への指圧的効果が得られ、本体下部に凸部もしくは凸部を有する回転ローラーを設けることにより、これを足裏その他の人体部位に押圧接触させることにても指圧的効果を得ることができて、人体に対する研磨と指圧の双方の機能を有する用具を得ることができる。
【発明を実施するための最良の形態】
【０００６】  以下、本発明の実施形態について説明する。
図において、１は本体で、合成樹脂による円柱体である。２は研磨部で、金属製板体をプレス加工にて一方の面に多数の微細凹凸を形成して円弧状に折曲したもので、本体上部に貼着される。本例では、この研磨部を三分割スタイルとし、各々凹凸の粗さを違えて形成し、本体を一周するように貼着して、目的により使い分けられるよう構成している。
６は握り凹凸部で、本体の研磨部下方位置に多数の半球状凹凸を形成したもので、握持者の手の平に適度の押圧刺激を与えるためのものである。７は指圧部で、本体下部に高さを違えた２個の山形の凸部を設けたもので、この凸部を足裏などに押し当てることにより、指圧的効果が得られるよう形成したものである。
本発明の使用に際しては、入浴時などに研磨部を足裏やかかとなどに押し当てて往復摩擦を反復することにより、人体研磨がなされて不要皮質を除去することができる。
本発明は既述のごとく３種の異なる粗さの研磨部を有するので、使用者の状況に合わせて使い分けることができる。また、握り凹凸部を握って用いるので、自然に手の平に押圧刺激が加わり、押圧による人体への血行促進その他の効果が期待できる。さらに本体下部には指圧部を設けたので、足裏等を押圧することにて足への指圧的効果を得ることができ、高さの異なる山形の凸部を有するので、一個所への押圧とともに斜方に構えて押圧すれば２個所同時の押圧も可能である。【０００７】  図４〜図６は、本発明の他例を示すものである。
本例は本体上部を三角柱に連続して上方に三角錐が位置するよう形成し、各々の面の上下に同一粗さの研磨部を有するとともに、隣り合う面は異なる粗さとなるよう構成したものである。また、本例では本体下部に凹凸ローラーを設けており、これを足裏その他の人体部位に押し当てて回転させることにより、前例同様の指圧的効果が得られるよう構成した。
使用法は前例に準ずるが、三角錐状の研磨部を有するのでより細かい部分の研磨が可能である。なお、ローラー支持体側面には段部を有する孔が穿設され、ここに、両端に段部を有する軸が嵌入保持される。凹凸ローラー中央に貫通孔が穿設され、この貫通孔内に軸が位置し、貫通孔内径は軸外径よりわずかに大である。
以上、本発明について記したが、本発明は目の粗さを違えた複数種の研磨部を有し、人体の状況に合わせて使い分けることができるので、単一の研磨部を有する従来品に比べてより使用に便利なる人体研磨具を得ることができる。また、握り部分に凹凸を設けることで手の平への刺激が、凸部や凹凸を有するローラーを設けることで、足裏等への指圧的効果を得ることができる。
なお、実施例においては本体に金属製の凹凸板体を貼着する研磨部としたが、合成樹脂成形により研磨部を形成してもよく、あるいは本体と一体成形にて形成してもよい。
凸部の形状は任意であり、半球状、多角錐状その他の形状とすることができる。
また、本発明の他例においては、三角柱状に連続する三角錐状の研磨部としたが、四角や六角などの多角形状あるいは円柱に連続する円錐形状としてもよい。
本発明の使用環境は任意であり、例えばサウナ内にての使用など種々に利用することができる。以上のごとく、本発明によって他用途にかつ便利に活用できる人体研磨具を提供することができる。
【図面の簡単な説明】
【０００８】
【図１】  本発明の拡大平面図
【図２】  本発明の正面図
【図３】  本発明の底面図
【図４】  本発明の他例における平面図
【図５】  本発明の他例における正面図
【図６】  本発明の他例における左側面図
【図７】  本発明の使用状態説明図
【図８】  本発明の使用状態説明図
【符号の説明】
【０００９】  １  本体
２  研磨部
３  粗目研磨部
４  中目研磨部
５  細目研磨部
６  握り凹凸部
７  指圧部
１０粗目研磨部
１１中目研磨部
１２細目研磨部
１３握り凹凸部
１４ローラー支持体
１５凹凸ローラー
１６軸
【図１】
2008289827.tif 000003
【図２】
2008289827.tif 000004
【図３】
2008289827.tif 000005
【図４】
2008289827.tif 000006
【図５】
2008289827.tif 000007
【図６】
2008289827.tif 000008
【図７】
2008289827.tif 000009
【図８】
2008289827.tif 000010
(57)【要約】【課題】コーヒー等の飲料に用いるマグカップの形状は取っ手が持ちにくく、特にマグカップにコーヒー等が満たされているときは重く、取っ手を持つ指に負担がかかり痛かった。また、必ず取っ手を握らなければならず、握らなくて持てる取っ手のついたマグカップはなかった。【解決手段】握らなくても指を伸ばした状態の手に、引っ掛けて持てる取っ手を設ける。取っ手が手と指に引っ掛けて持つ形状のため指が痛くなく、取っ手を握れない人にも持ちやすい。【選択図】図１
2008289830.tif 000002
【特許請求の範囲】
【請求項１】
握らなくても指を伸ばした状態の手に、引っ掛けて持てる取っ手を設けたことを特徴とするマグカップ。
【発明の詳細な説明】
【技術分野】
【０００１】  この発明は、コーヒー等の飲料に用いるマグカップの形状に関する。
【背景技術】
【０００２】  従来のコーヒー等の飲料に用いるマグカップの形状は、図３に示すように、マグカップの本体１の側面に取っ手３が設けられたものである。
【発明の開示】
【発明が解決しようとする課題】
【０００３】しかしながら、以上の技術によれば、マグカップにコーヒー等が満たされているときは重く、取っ手を持つ指に負担がかかり持ちにくく指が痛かった。また、必ず取っ手を握らなければならず、握らなくても持てる取っ手のついたマグカップはなかった。
そこでこの発明は、取っ手を握らなくても持て、指に負担のかからない取っ手のついたマグカップを提供することを課題とする。
【課題を解決するための手段】
【０００４】  以上の課題を解決するために発明は、握らなくても指を伸ばした状態の手に、引っ掛けて持てる取っ手を設けたことを特徴とするマグカップである。
【発明の効果】
【０００５】  発明によれば、マグカップの取っ手に、握らなくても指を伸ばした状態の手に引っ掛けて持てる取っ手を設けたので、指に負担がかからず持ちやすく痛くない。また取っ手を握らなくて済むので、取っ手を握れない人にも持ちやすい。
【発明を実施するための最良の形態】
【０００６】  この発明の一実施形態を、図１に示す。
マグカップの本体１の側面には、取っ手２が一体的に設けられている。この取っ手２は指を伸ばした状態の手に引っ掛けて持てる形状になっている。
【実施形態の効果】
【０００７】  図２に示すように、取っ手の前と後が手の平と甲にそれぞれ触れており、手の傾きによって上下前後左右自在に傾けられる。手と指で引っ掛けて持てるので、重さが分散し痛くなく持てる。また握る必要がないため、握れない人でも持てる。
【他の実施形態】
【０００８】  図１の実施形態では、手の甲と手の平にそれぞれ取っ手が触れる形状であったが、他の実施形態では、図４のように手の甲に取っ手が触れ手の平は本体に触れる形状のものでも良い。
【図面の簡単な説明】
【０００９】
【図１】この発明の一実施形態を示す斜視図である。
【図２】この発明を持った際の実施形態を示す斜視図である。
【図３】従来技術を示す斜視図である。
【図４】この発明の他の実施形態を示す斜視図である。
【符号の説明】
【００１０】１  マグカップの本体
２  この発明の取っ手
３  従来の取っ手
４  この発明の他の実施形態の取っ手
【図１】
2008289830.tif 000003
【図２】
2008289830.tif 000004
【図３】
2008289830.tif 000005
【図４】
2008289830.tif 000006
(57)【要約】【課題】      手触り感を柔和にし、耐久性、泡立ち、泡持ちに優れた洗浄用スポンジの提供を目的とするものである。【解決手段】  本発明は、以上の課題を解決するためになされたものであって、その要旨は、密度３５ｋｇ／ｍ３以上で伸び率は、４００％以上のポリウレタンフォームであり、これを使用することにより耐久性がアップし、かつ裂けにくく、独自の柔和さを出し、折り曲げを容易にすることができる。【選択図】なし【特許請求の範囲】
【請求項１】
３５ｋｇ／ｍ３以上の高密度のポリウレタンフォームを使用した洗浄用スポンジ。
【請求項２】
伸び率４００％以上の高伸長性のポリウレタンフォームを使用した洗浄用スポンジ。
【請求項３】
セル目は、５０ｉｎｃｈ以上の微細セルのポリウレタンフォームを使用した洗浄用スポンジ。
【請求項４】
請求項１〜３のポリウレタンフォームを単独または、不織布や他のスポンジ等と接着剤または、熱プレスにて多層に貼り合わせた洗浄用スポンジ。
【発明の詳細な説明】
【技術分野】
【０００１】本発明は、各種の物品を洗浄するためのスポンジに関するものであり、特に食器や鍋・フライパン等または浴槽・洗面台等の汚れを洗剤を用いて落とす洗浄用スポンジに関するものである。
【背景技術】
【０００２】従来から、台所・浴槽等の洗浄品として、エステル系やエーテル系の発泡ポリウレタンフォームを使用したものが知られている。
その発泡ポリウレタンフォームを単独または、不織布や他のスポンジ等と多層に貼り合わせたのち、垂直に切ったり刃型にてプレス抜きをして適度な大きさに加工して洗浄用スポンジとして利用している。【０００３】従来の洗浄用ポリウレタンフォームは、密度が約１８〜３０ｋｇ／ｍ３の低密度ポリウレタンフォームを使用しておりこれらの低密度ポリウレタンフォームは数回の使用にて、コシがなくなり型崩れを起こしていた。【０００４】セル目も約１０〜３０／ｉｎｃｈとセル目が粗い為、泡持ちが悪く、しかも手触りが硬く感じられた。【０００５】またそのセル目にゴミ等が入りやすくなるため、雑菌が繁殖し不衛生になるという欠点があった。【０００６】  粗いセル目のスポンジで、洗剤を用いて泡立てた場合、泡に大きな気泡が入り泡自体の持ちが悪くまた、硬度を上げてスポンジを硬くした場合、使用時に折り曲げに力を要し、硬度に比例して密度を上げていないものについては、裂けやすくなってしまうため、使用に適さない。
【発明の開示】
【発明が解決しようとする課題】
【０００７】そこで本発明は、台所・浴室等の洗浄用としては用いられていなかった、高密度・高伸長性・微細セルのポリウレタンフォームを使用することにより、手触り感を柔和にし、耐久性、泡立ち、泡持ちに優れた洗浄用スポンジの提供を目的とするものである。
【課題を解決するための手段】
【０００８】本発明は、以上の課題を解決するためになされたものであって、その要旨は、密度３５ｋｇ／ｍ３以上で伸び率は、４００％以上のポリウレタンフォームであり、これを使用することにより耐久性がアップし、かつ裂けにくく、独自の柔和さを出し、折り曲げを容易にすることができる。【０００９】また、５０／ｉｎｃｈ以上の微細セル目を有し、洗剤を用いた場合細かい気泡の泡を作り出すことができる。【００１０】また微細セルの影響で、空気が容易に抜けることがないのでスポンジ内の泡持ちがよくなり、泡自体も細かい気泡を含んでいるので長持ちし、洗浄力を増すことができる。そしてセル目が細かいことによりゴミ等の侵入を防ぎやすくなる。
【発明の効果】
【００１１】本発明の洗浄用スポンジは高密度・高伸長性・微細セル目のポリウレタンフォームを使用することにより、手触り感を柔和にし、耐久性、泡立ち、泡持ちに優れたものとなる。
【発明を実施するための最良の形態】
【００１２】このポリウレタンフォームの材質としては、ポリエステルポリオール、ポリエーテルポリオールのどちらを使用しても良い。ただし、耐久性を上げるために密度は３５ｋｇ／ｍ３以上のものとする。【００１３】また、独自の柔和感を出すために伸び率は、４００％以上のものとし、泡立ちと泡持ちを良くするために、セル目は５０／ｉｎｃｈ以上のものが好ましく、またセルについては２次加工にて、セル目に残った油膜を取り除き、高通気性をもたらしたものを使用することも考えられる。【００１４】このポリウレタンフォームは、単独で適度な大きさに加工して使用しても良いし厚みを１０〜４０ｍｍ程度に加工し、不織布やテキスタイル等の生地状のものや他の性質の異なった発泡ポリウレタンフォームと貼り合わせて、両面で使い分けできるものとしてもよい。【００１５】貼り合わせる不織布やテキスタイル等の材質については、ナイロン・ポリエステル・アクリル・塩化ビニリデン・レーヨン等が考えられ、研磨材を付着させたものや特殊樹脂加工したものも考えられる。【００１６】貼り合わせ方法については、接着剤を用いても良いし、熱プレス等で融着させても良い。
(57)【要約】【課題】  装脱着を容易にし、誰でも安定した装着感に調整しやすく、母乳育児を応援、使わないときも簡単に折り畳めコンパクトに収納できるようにした抱っこ紐を提供する。【解決手段】  背宛上部を筒状にして帯が通り中央だけを固定、左右に分かれた布を下部で交差させる。帯の長さ調節が可能で、さらに先端にポケットのついた帽子、兼ナーシングカバーが付いている。コンパクトに収納可能な止め具、兼小物ホルダーが付いていることが、この抱っこ紐の特徴である。【選択図】図１
2008289826.tif 000002
【特許請求の範囲】
【請求項１】
背宛部分（１）の上部を筒状にして帯（２）を通し、中央上部（３）だけを固定し、下部で交差（４）して装着する構成の抱っこ紐。
【請求項２】
（イ）背宛部分（１）の上部を筒状にして帯（２）を通し、中央上部（３）だけを固定し、下部で交差（４）して装着する縫製を設ける。
（ロ）長さを自由に変えられるアジャスター（５）を設ける。
以上の構成よりなる、抱っこ紐。
【請求項３】
（イ）背宛部分（１）の上部を筒状にして帯（２）を通し、中央上部（３）だけを固定し、下部で交差（４）して装着する縫製を設ける。
（ロ）長さを自由に変えられるアジャスター（５）を設ける。
（ハ）アジャスター（５）の一部を長くして、ポケット（６）を設ける。
以上の構成よりなる、抱っこ紐。
【請求項４】
簡単に折り目がつくよう帯の一部（２）に芯を入れ、コンパクトに収納できるよう止め具（７）を設ける構成の抱っこ紐。
【発明の詳細な説明】
【技術分野】
【０００１】  この発明は、装脱着を容易にし、安定した装着感を調節しやすく、いつでも授乳をしやすいよう母乳育児を応援し、未使用時も簡単に折り畳め、コンパクトに収納できるようにした抱っこ紐に関するものである。
【背景技術】
【０００２】  従来、乳幼児の背宛になる部分には、上部に装脱着時に広げるための止め具などがついており、下部は背中から股の方までつながった定型の形状をしている。
【発明の開示】
【発明が解決しようとする問題】
【０００３】  これは次のような欠点があった。
従来の背宛部分の形状では、装着者が乳幼児を高い位置まで持ち上げるため、不安定で、装着者と乳幼児の双方に負担があった。
装着者の体型よってまたは使用する乳幼児の成長によって、それぞれのサイズを用意しなければならなかった。
装着したままの授乳は難しく、また授乳状態が丸見えであった。
未使用時にきちんと折り畳めないため、または別途、収納のためにバックが必要となるため面倒で、きれいに収納できないと次回装着時に整形しなければならない手間があった。
本発明は、以上のような欠点をなくすためになされたものである。
【課題を解決するための手段】
【０００４】  背宛部分（１）の上部を筒状にして左右に分かれた布の中央だけ（３）を固定し、その中を装着者の背中から前へつながる帯（２）が通る、下部は左右の布が自由になっており、乳幼児の尻を包むように交差させる。
アジャスター（５）をつけ、長さ調節を可能にする。
さらに（５）の一部を長めにとり、先端にポケット（６）を設ける。
帯（２）の一部に芯を入れ、背宛部分（１）の上方に止め具（７）をつける。
本発明は、以上の構成によりなる抱っこ紐である。
【発明の効果】
【０００５】  背宛部分の形状により、装着者が乳幼児を低い位置で安定して、装着者と乳幼児の双方に負担がないよう装着できる。
装着者の体型によってまたは使用する乳幼児の成長によって、それぞれのサイズを用意しなくても調節が可能である。
装着したまま授乳ができ、また授乳状態を隠すことができる。
未使用時にきちんと折り畳め、きれいに収納でき次回使用時にもすぐに取り出せ装着前に整形する手間がなくなった。
【発明を実施するための最良の形態】
【０００６】  以下、本発明を実施するための最良の形態について説明する。
宛部分（１）の上部を筒状にして左右に分かれた布の中央だけ（３）を固定し、その中を装着者の背中から前へつながる帯（２）が通る、下部は左右の布が自由になっており、乳幼児の尻を包むように交差させる。
帯にアジャスター（５）をつけ、長さ調節を可能にする。
さらに（５）の一部を長めにとり、先端にポケット（６）を設ける。
帯（２）の一部に芯を入れ、背宛部分（１）の上方に止め具（７）をつける。
本発明は、以上のような構造である。
これを使用する装脱着の際には、背宛の下部がわかれているために、全体の紐を前後に背宛を上下にずらし、乳幼児が低い位置で足を通すことを可能となり、背中の幅など自由にギャザーを寄せて調節ができ、背宛の脇の下部分にも厚みができるための乳幼児の負担を軽減できる。
下部は乳幼児のお尻と大腿を自由に包むよう調節ができる。
帯全体の長さ調節が可能なのでサイズの異なる人が使える。
ポケットを乳幼児に被せることにより、ナーシングカバーの役割を持ち、人目を気にせず授乳ができ、ちょっとした外出では風除けや日除けに使える。
簡単に折り畳みやすくし、コンパクトに収納できることで荷物の多い保育者の負担を軽減、止め具は装着時も玩具などの引っ掛けなどとして有効に使える。
【図面の簡単な説明】
【０００７】
【図１】本発明の斜視図である。
【図２】本発明の収納状態を示した斜視図である。
【符号の説明】
【０００８】      １  背宛部分
２  帯
３  背宛の中心
４  背宛の下部
５  アジャスター
６  ポケット
７  止め具
【図１】
2008289826.tif 000003
【図２】
2008289826.tif 000004
(57)【要約】【課題】人体の状況に合わせて便利に使い分けることのできるボディタオルを提供する。【解決手段】互いに目の粗さの異なる布体を一体に縫着したことを特徴とする。【選択図】図１
2008289828.tif 000002
【特許請求の範囲】
【請求項１】
互いに目の粗さの異なる布体を一体に縫着したことを特徴とするボディタオル。
【請求項２】
布体内適所にクッション体を内蔵してなる請求項１記載のボディタオル。
【請求項３】
布体表面適所にポケットを設けてなる請求項１又は２記載のボディタオル。
【請求項４】
布体に係止部材を設けてなる請求項１〜３のいずれかの項に記載のボディタオル。
【発明の詳細な説明】
【技術分野】
【０００１】  この発明は、粗さの異なる２種の布体を有するとともに、内部クッション体およびポケットを有することにて数々の便利さを有するボディタオルに関する。
【背景技術】
【０００２】  従来より、入浴時に用いる体を洗うためのものとしてボディタオルが多用されているが、単一布体を用いたものしかなく、本発明にて示すように、粗さの異なる２種の布体を一体化したものは見あたらない。
【発明の開示】
【発明が解決しようとする課題】
【０００３】  入浴時においては、体表面の汚れや古皮質を除去するためにボディタオルが多用されている。このボディタオルは、表面に微細な凹凸面を有するメッシュ布状物品であり、通常は石鹸成分を含ませて用いられる。使用法は折りたたんでつかみ、体にこすりつけたり、あるいはのばして背中を洗う。この背中を洗うときは、ボディタオルの両端をつかんで往復させるが、背中の中央は凹部状になるため、洗いにくいという問題がある。また、丸めて持ち、背中に手を回して洗う手段もあるが背中全域には届きにくい。
人体の皮膚は、季節や体調そして個人差によりその状況がまちまちであり、ボディタオルからの刺激を適度なものにしたいという欲求が生ずるが、既述のようにその目の粗さが単一のためにこの欲求に応ずるのが難しい。また、指の間や耳裏等を洗うとき、柔らかい刺激が好ましいが、そのような場合に適したボディタオルの発見も困難であるとともに、布端による洗浄では洗いにくいものである。
本発明は、以上のような従来からのボディタオルに関わる課題を解決するために発明されたもので、目の粗さの異なる布体を一体化して、好みにより使い分けることができるとともに、付加部分を設けて背中や指の間などの洗浄にも適した新規かつ有用なる物品を提供することを目的としたものである。
【課題を解決するための手段】
【０００４】  課題を解決する手段として本発明は、粗さの異なる２種の布体を縫合一体化してその主要部を構成した。すなわち、互いに異なる目の粗さを有する布体を一体に逢着する。
本発明は以上の構成よりなるボディタオルである。なお、付加的要素としてクッション体やポケットおよび係止部材を設けたものとしてもよい。
【発明の効果】
【０００５】  本発明は以下の効果を有する。
１．互いに目の粗さの異なる２種の布体を一体化して形成したので、使用者の状況に合わせて使い分けることができる。
２．クッション体を内蔵することにより、背中を容易に洗うことができる。
３．ポケットを設けることにて、人体細部を容易に洗うことができる。
４．係止部材を付加することにより、ボディタオルを束ねて便利に使用することができる。
【発明を実施するための最良の形態】
【０００６】  以下、本発明の実施形態について説明する。
図において、１は繊維を織り込んでその表面に凹凸を有するメッシュ状の布よりなる長方形の布体である。この布体は、粗目の布体２と細目の布体３とを逢着して一体に形成される。４は略直方体形状の軟質スポンジによるクッション体で、布体中央の縫合部内に位置する。このクッション体は同型物が２個併設される。５はポケットで、布体端近傍に逢着される。このポケットは２個設けられ、その一つは粗目布体に、他方は細目布体に設けられる。６は固定側面ファスナーで、布体中央端の上下面に各々逢着される。７はゴム紐で、その一端は粗目布体の中央端に逢着され、他端の上下面には係止側面ファスナー８が各々逢着される。以上の各面ファスナーとゴム紐にて係止部材９が形成される。
本発明の使用法は以下の通りである。
背中を洗うときは、布体に石鹸をこすりつけるなどして布体およびクッション体に洗液を含ませた後、布体の両端を各々の手に持ち、クッション体個所が背中にくるように回し、布体を反復往復動させる。これにより背中を洗うことができる。
従来品は単なる一枚の布体のため、背中の凹凸の洗浄には適さないが、本品は図のようにある程度の厚さを有するクッション体を内蔵しているので、背中の凹部にもよく接触して効率よく洗うことができる。
指の間や耳裏などを洗うときは、ポケットに指を入れ、指先を利用して洗う。
従来はこのようなポケットがないので布端をつまんで洗うなどの手段しかなく、作業性に乏しかったが、本品ではポケット内の指先を用いて洗うことができ、利便性に富むものとなる。このポケットは粗目布体と細目布体に各々設けており、好みに応じて使い分けることができる。【０００７】  普通に洗うときは、図４〜図５に示すように、布体の両端を折りたたんで重ね合わせ、係止側面ファスナーを回して固定側面ファスナーに係止することにより、この布体形状が保たれ、そのまま手に持って使用することができる。また、これをその中央からさらに二つ折りにして用いることもできる。
以上、本発明について記したが、本発明は目の粗さの異なる２種の布体を縫合一体化したものであり、好みや人体状況に合わせて使い分けることができるところに特徴を有するものである。また、ポケットやクッション体を設けることにより、人体細部や背中の洗浄に効果を発揮し、従来品では得られなかった種々の利点を有するものである。
なお、既述の例ではクッション体を併設したので、必要に応じてこのクッション体が重なるように折りたたんで使用することができる。また、ゴム紐は布体中央端にその一端を縫着し、係止前は布体に対して直角に位置するものとしたが、布体に対し斜方に縫着する方式としてもよい。
簡易タイプとして、係止部材を省いた構成、ポケットやクッション体を省いた構成も可能である。以上のごとく、本発明は２種の布体により構成したので、各々目の粗さを任意に選んで使用することのできる有用なるボディタオルを提供しうるものである。
【図面の簡単な説明】
【０００８】
【図１】  本発明の平面図
【図２】  本発明の正面図
【図３】  本発明の内部構造説明図
【図４】  本発明の拡大平面図（折り畳み時）
【図５】  本発明の拡大正面図（折り畳み時）
【符号の説明】
【０００９】  １  布体
２  粗目布体
３  細目布体
４  クッション体
５  ポケット
６  固定側面ファスナー
７  ゴム紐
８  係止側面ファスナー
９  係止部材
１０縫合部
１１縫合部
１２縫合部
【図１】
2008289828.tif 000003
【図２】
2008289828.tif 000004
【図３】
2008289828.tif 000005
【図４】
2008289828.tif 000006
【図５】
2008289828.tif 000007
(57)【要約】      （修正有）【課題】箸や割り箸は、使用後に消費する（食べてしまう）ことができないため役目を終えるとゴミとなり捨てられているものがほとんどである。この面において破棄される廃棄物量を低減すると共に、使用済み箸や割り箸の有効利用を図る必要があった。【解決手段】箸１は、干菓子である掛け菓子によってできている。形状としては、元禄箸とする。溝状の割れ目２、によって箸を縦に割ることができる。食物などを挟むのに用いる２本で一対の棒であり、食べ物を挟み取って食べるために使用することができる。箸として使用することができると同時に、箸そのものを食べることができる。干菓子からなる箸。【選択図】図１
2008289825.tif 000002
【特許請求の範囲】
【請求項１】
干菓子からなることを特徴とする箸。
【発明の詳細な説明】
【技術分野】
【０００１】  本発明品は、食べることができ、箸として使用することができる箸や割り箸に関するものである。
【背景技術】
【０００２】  箸類は、木やステンレス、プラスチック等でできており、堅固なものとして知られている。これらは、使用後に洗浄することによって、再び使用することができるように、再使用形態とすることができる。使用後に破棄される割り箸類とすることもできる。【０００３】  食べられる食卓用類を含む、刃物類、スプーン、フォーク等は国際特許出願ＷＯ９６／２０６０４によって既に知られている。このような食卓用類は、中でも、花、水、植物、蛋白質並び、人口甘味料よりなる生地によって作られてきた。しかしながら、食べられる箸を箸として使用し、箸本来の役割以外、例えば、日本の風習の一つである、縁起物のお菓子としても使用でき、日本の食文化の一つの形態である箸を含む、ということは、この出願からは知ることが出来ない。
【特許文献１】国際特許出願ＷＯ９６／２０６０４
【発明の開示】
【発明が解決しようとする課題】
【０００４】  解決しようとする課題は、周知の技術によって箸や割り箸というものを大量生産等により作り出したが、使用後に消費する（食べてしまう）ことができないことである。よって役目を終えると、ゴミとなり捨てられているものがほとんどである。この面において、今までに完成された製造、流通、運送、販売、消費に影響を与えず便利に、楽しく、安全に使用でき、破棄される廃棄物量を低減すると共に、使用済み箸や割り箸の有効利用を図る必要があった。
【課題を解決するための手段】
【０００５】  本発明品は、干菓子からなることを特徴とする箸である。本発明品は、周知の技術に対する上記の欠点を排除することができる。本発明品においては、食べることのできる箸を形成することができる。なぜならば、この箸は、干菓子によって作られたからである。ここで言う干菓子とは、水分を少なくし、粉や米類等を主原料にし、砂糖を含み、固形にしたものである。例えば、打菓子、押し菓子、掛け菓子、焼き菓子、揚げ菓子、豆菓子、米菓子を言う。作り方の例として、もち米や、うるち米、粟等を原料とした、おこし種に豆類やごま等を混ぜ、煮詰めたシロップを掛け延ばし、板等で任意に箸型に成型、切断して仕上げたものである。使い方としては、食べられる箸．割り箸を箸として使用し、箸本来の役割以外では、贈答用の縁起の良いお菓子として使用できる。また、手軽に食べれるため、おやつとしても使用できる。
【発明の効果】
【０００６】  箸を可能な範囲内で食品に変更することで、ゴミ問題の解決策の一つとしてだけでなく、目的に合わせた使用が安全に楽しく消費することが可能になった。
【発明を実施するための最良の形態】
【０００７】  干菓子からなることを特徴とする箸の最良の形態は、箸として使用可能であり、箸を食べることで何も無駄にせず使用者を楽しませる効果を有することである。干菓子としては、前述したように、打菓子、押し菓子、賭け菓子、焼き菓子、揚げ菓子、豆菓子、米菓子、からなるものが良い。また、箸としては、長さ１６〜２０．５ｃｍ、厚み４〜４．８ｍｍで、基本の形は元禄箸が良い。又、割り箸としては、箸全体の内、半分ほどの所まで細い割れ目を予め設けておき、残りの部分は割れやすいように溝を設けておく。また、一対を使用時、縦に割って２本にし箸として用いる。【０００８】  概して、あらゆる色、あらゆる種類及び形状の干菓子が知られているが、食べられる箸としては知られていない。
【実施例】
【０００９】  添付図面を参照にしつつ、以下において本発明を説明する。箸１は、干菓子である掛け菓子によってできている。箸は、２０．５ｃｍの長さであり、厚みは４．８ｍｍである。形状としては、元禄箸とする。側面に模様を焼き押ししてつけた。図１においては、食べることができる箸１が示されている。箸１は、この図から分かるように、食物などを挟むのに用いる２本で一対の棒であり、食べ物を挟み取って食べるために使用することができる。箸として使用することができると同時に、箸そのものを食べることができる。また、食べることができる割り箸の全体図を示す。図２は食べることができる割り箸の横断面図を示す。溝状の割れ目２、によって箸を縦に割ることができる。
【産業上の利用可能性】
【００１０】干菓子に関する食品業界、その他、箸業界、さらにはギフト業界に利用できる。
【図面の簡単な説明】
【００１１】
【図１】本発明の実施形態を示す食べることができる割り箸の全体図
【図２】食べることができる割り箸の横断面図
【符号の説明】
【００１２】１、箸
２、割れ目
【図１】
2008289825.tif 000003
【図２】
2008289825.tif 000004